(57)【特許請求の範囲】
【請求項１】
縦方向および横方向と、身体側および着衣側と、前記縦方向に連なる前ウエスト域、後ウエスト域および前記前後ウエスト域間に位置するクロッチ域と、前記身体側に位置する内面シートと、前記着衣側に位置する外面シートと、前記内外面シートの間に介在し少なくとも前記クロッチ域に配置される吸液構造体と、前記外面シートの前記吸液構造体側に形成され水分に接触すると視覚効果が変化する水分視認要素とを含む吸収性物品において、
前記水分視認要素と前記吸液構造体との間には、水分の透過を阻止する阻止シートが形成され、前記阻止シートは、前記水分視認要素の一部と重なって前記吸液構造体に吸収された水分が前記水分視認要素に直接接触するのを抑制することを特徴とする前記吸収性物品。
【請求項２】
前記阻止シートは、前記クロッチ域であって、前記前ウエスト域側に配置される請求項１記載の吸収性物品。
【請求項３】
前記阻止シートは、前記横方向に離間する一対のシート片から形成される請求項１記載の吸収性物品。
【請求項４】
前記阻止シートは、前記横方向の寸法を二等分する縦中心線上に配置される請求項１記載の吸収性物品。
【請求項５】
前記阻止シートは、前記横方向の長さ寸法が少なくとも１０ｍｍ以上である請求項１〜４のいずれかに記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつにおいて、排尿したかどうかを知らせる漏れ報知手段を有するものとして、例えば特開２００４−２３６８２６号公報（特許文献１）が公知である。この特許文献１によれば、おむつは前後ウエスト域および股下域と、着用者側に位置する内面シートおよび着衣側に位置する外面シートと、内外面シートの間に介在する吸収体とを有している。外面シートの吸収体に対向する側に、漏れ報知手段を形成している。漏れ報知手段は、尿などの水分と接触すると消えたり、他の色に変化したりする水溶性インキを用いて形成されている。
【特許文献１】特開２００４−２３６８２６号公報
【発明の開示】
【発明が解決しようとする課題】
【０００３】
排尿が少量の場合、または排尿回数が少ない場合には、漏れ報知手段の一部が消えたり変色したりするので、変化していない部分が残る。漏れ報知手段の変化した部分と変化していない部分との比較ができるので、排尿の有無を容易に判断することができる。しかし、排尿の量が多い場合には、漏れ報知手段の全部が消えたり、変色したりするので、変化前後を比較することができない。すなわち、排尿前の色等を覚えておかなければ排尿の有無を確認することができず、排尿の有無の判断が困難になるという問題があった。
【０００４】
この発明では、排尿等の水分の存在を容易に判断することができる吸収性物品を提供することを課題とする。
【課題を解決するための手段】
【０００５】
この発明は、縦方向および横方向と、身体側および着衣側と、前記縦方向に連なる前ウエスト域、後ウエスト域および前記前後ウエスト域間に位置するクロッチ域と、前記身体側に位置する内面シートと、前記着衣側に位置する外面シートと、前記内外面シートの間に介在し少なくとも前記クロッチ域に配置される吸液構造体と、前記外面シートの前記吸液構造体側に形成され水分に接触すると視覚効果が変化する水分視認要素とを含む吸収性物品の改良に関わる。
【０００６】
この発明は前記吸収性物品において、前記水分視認要素と前記吸液構造体との間には、水分の透過を阻止する阻止シートが形成され、前記阻止シートは、前記水分視認要素の一部と重なって前記吸液構造体に吸収された水分が前記水分視認要素に直接接触するのを抑制することを特徴とする。
【０００７】
好ましい実施態様のひとつとして、前記阻止シートは、前記クロッチ域であって、前記前ウエスト域側に配置される。
【０００８】
好ましい実施態様のひとつとして、前記阻止シートは、前記横方向に離間する一対のシート片から形成される。
【０００９】
好ましい他の実施態様のひとつとして、前記阻止シートは、前記横方向の寸法を二等分する縦中心線上に配置される。
【００１０】
好ましい他の実施態様のひとつとして、前記阻止シートは、前記横方向の長さ寸法が少なくとも１０ｍｍ以上である。
【発明の効果】
【００１１】
この発明において、水分視認要素と吸液構造体との間に、水分の透過を阻止する阻止シートが形成され、阻止シートは前記水分視認要素の一部と重なることとしたので、水分視認要素の一部に水分に接触しない部分を形成することができる。水分に接触しない部分では水分視認要素は変化し難く、その変化の前後を比較する際の対照にすることができる。したがって、変化があった場合には容易に認識することができる。
【００１２】
阻止シートは、クロッチ域の前ウエスト域側に取り付けられることとした。吸収性物品がおむつの場合には、水分である尿が排泄されるのは通常の立位状態でクロッチ域の前ウエスト域側である。したがって、阻止シートの位置と排尿される位置とを一致させることができ、排尿の量が少ないような場合でも、排尿があったか否かを確実に判断することができる。
【００１３】
阻止シートは、横方向に離間する一対のシート片から形成されることとした。吸収性物品の横方向の寸法を二等分する縦中心線近傍において水分が排出された場合には、水分は水分視認要素に接触するから、確実に水分の有無を確認することができる。
【００１４】
阻止シートは、横方向の寸法を二等分する縦中心線上に配置されることとした。縦中心線近傍で排出された水分がその外側に行くにしたがって量が少なくなり、水分視認要素の色の変化が薄くなるような場合であっても、阻止シートの周辺では、確実に変色しているから、阻止シートの重なった部分との比較が容易である。したがって、水分の量が少ないときであっても、水分が排出されたことを認識することができる。
【００１５】
阻止シートは、横方向の長さ寸法を１０ｍｍ以上としている。したがって、特に尿が排出された直後において阻止シートの周囲から水分が浸透するのを抑制することができ、阻止シートと重なっている水分視認要素の部分が変色するのを防止することができる。
【発明を実施するための最良の形態】
【００１６】
吸収性物品として使い捨ておむつを用い、この発明の一例を説明する。
＜第１の実施形態＞
【００１７】
図１〜３はこの発明の第１の実施形態を示したものであり、各図においては弾性体の伸縮力を作用させない状態を示している。図１は、いわゆるオープン型のおむつ１を展開した状態の平面図であり、説明のためその一部を破断している。図２は、図１のＩＩ−ＩＩ線端面図である。図示したように、おむつ１はシャーシ２と、ウエスト弾性体３と、レッグ弾性体４とを含む。シャーシ２は、縦方向Ｙに連なる前ウエスト域５と、後ウエスト域６と、これら前後ウエスト域５，６間に位置するクロッチ域７とを含む。シャーシ２は、身体側内面を形成する透液性の内面シート８と、着衣側外面を形成する不透液性の外面シート９とを含み、これら内外面シート８，９との間であって、少なくともクロッチ域７には吸液構造体１０が配置されている。
吸液構造体１０は、フラッフパルプ等によって形成される吸液性芯材１１と、吸液性芯材１１を覆うティッシュペーパ等の拡散シート１２とを含む。
【００１８】
シャーシ２は、縦方向Ｙに対向して横方向Ｘに延びる前後端縁１４，１５を含み、前後端縁１４，１５に沿ってウエスト弾性体３を取り付けている。ウエスト弾性体３は、伸縮性シートによって形成され、横方向Ｘに伸長状態で取り付けられる。
【００１９】
シャーシ２は、横方向Ｘに対向して縦方向Ｙに延びる両側縁１７を含む。両側縁１７は前ウエスト域５に位置する前側縁１８と、後ウエスト域６に位置する後側縁１９と、クロッチ域７に位置するレッグ側縁２０とを含む。両側縁１７は、レッグ側縁２０において、おむつ１の横方向Ｘの寸法を二等分する縦中心線Ｐ−Ｐに向かって凸となるように湾曲し、シャーシ２全体が砂時計型を形成するようにしている。
【００２０】
両側縁１７には、レッグ側縁２０に沿って延びる複数のレッグ弾性体４を取り付けている。レッグ弾性体４は、内外面シート８，９の間に伸長状態で取り付けられる。レッグ弾性体４によって、レッグ側縁２０が着用者の脚周りにフィットして、脚周りからの尿等の漏れを防止することができる。
後側縁１９であって外面シート９側には、横方向Ｘに延びる係合部材２４を取り付け、係合部材２４を前ウエスト域５の外面シート９に係合させて着用者におむつ１を着用させる。
【００２１】
図３は、図１のおむつ１から内面シート８と吸液構造体１０とを取り除いたものである。図示したように、外面シート９の身体側、すなわち吸液構造体１０に対向する側には、水分視認要素２１を形成している。水分視認要素２１として、粘着成分にｐＨ指示薬を混合したホットメルト組成物を用い、これを外面シート９に塗布することによって形成している。このように形成した水分視認要素２１は、水分の接触によって変色し、変色によって水分の存在を確認することができる。水分視認要素２１を形成するホットメルト組成物は、縦方向Ｙに複数条延びて、少なくともクロッチ域７に位置している。この実施形態ではクロッチ域７から前後ウエスト域５，６に向かって延出している。
【００２２】
水分視認要素２１と吸液構造体１０との間には、阻止シート２２を取り付けている。阻止シート２２は、水分視認要素２１の複数条のホットメルト組成物の横方向Ｘに並ぶ一側から他側に亘って延びて形成されている。阻止シート２２の縦方向Ｙの長さ寸法は約１０ｍｍとし、クロッチ域７であって、横中心線Ｑ−Ｑよりも前ウエスト域５側に配置され、外面シート９または吸液構造体１０の少なくともいずれか一方に接合している。阻止シート２２として、疎水性の繊維不織布を用いている。したがって、水分視認要素２１の阻止シート２２が重なっている部分では、身体側からの水分が付着するのが抑制されることとなる。
【００２３】
上記のような構成において、着用者による排尿があると、尿は表面シート８を通過し、吸液構造体１０に吸収される。さらに吸液構造体１０に吸収された尿が水分視認要素２１に接触する。尿が水分視認要素２１に接触すれば、この水分視認要素２１の色が変化する。水分視認要素２１は、外面シート９を介して視認可能としている。したがって、着用者が乳幼児である場合には、親等の介助者が色の変化を見ることによって排尿したことを確認することができる。
【００２４】
水分視認要素２１と吸液構造体１０との間に阻止シート２２を取り付けているので、排尿があったときでも阻止シート２２が取り付けられた部分だけは、水分視認要素２１の色が変化し難い。したがって、排尿の量が多かったり、複数回の排尿があったりして、水分視認要素２１の全部に尿が接触するような場合であっても、阻止シート２２が取り付けられた部分では、変色することがなく、この部分と比較することによって変色を容易に確認することができる。変色しない比較部分がない場合には、変色前の水分視認要素２１の色を記憶しておかなければ、全部が変色したのか、全部が変色していないのかの判断が困難となる。
【００２５】
この実施形態では、水分視認要素２１をクロッチ域７であって、横中心線Ｑ−Ｑよりも前ウエスト域５側に形成するとともに、縦中心線Ｐ−Ｐ上に位置させている。すなわち、排尿される位置に対応して水分視認要素２１を配置している。したがって、排尿の量が少なく、水分視認要素２１のすべてが変色することはないが、前後ウエスト域５，６側に行くにつれて徐々に変化量が少なくなっているような場合であっても、水分視認要素２１の周囲は確実に変色し、水分視認要素２１が位置する部分との対比が容易である。したがって、水分視認要素２１の変化が外側に行くにしたがって薄くなってグラデーションが形成されているような場合であっても、排尿があったかどうかの判断が容易である。
【００２６】
この実施形態において、阻止シート２２の縦方向Ｙの長さ寸法を１０ｍｍとしているが、これに限ったものではない。ただし、１０ｍｍよりも短くすると、水分視認要素２１の変色しない部分の範囲が狭くなり、変色した部分との比較がしにくい。また、１０ｍｍよりも短くすると、阻止シート２２が位置する部分の周囲から入り込んでくる尿によって、水分視認要素２１が変色してしまう可能性もある。したがって阻止シート２２の縦方向Ｙの長さ寸法が長く、水分視認要素２１に重なる面積を広くした方が周囲から入り込んでくる尿に対してより長時間変色しない部分を保つことができ、変色した部分との比較が可能となる。ただし、阻止シート２２が水分視認要素２１のすべてを覆うように重なると、水分視認要素２１と水分とが直接接触する部分がなくなってしまうので、阻止シート２２と水分視認要素２１とは全部で重なることなく、その一部で重なっていることが必要である。
阻止シート２２の坪量は１０〜３０ｇ／ｍ２とすることができ、１８〜２０ｇ／ｍ２とするのが望ましい。坪量を大きくすると、剛性が高くなり着用時の違和感を生じる可能性があり、また、外面シート９または吸液構造体１０との接合が弱くなる可能性があるからである。阻止シート２２として疎水性の不織布を用いているが、疎水性のフィルム等を用いることもできる。
【００２７】
水分視認要素２１として粘着性分にｐＨ指示薬を混合したホットメルト組成物を用いているが、これに限られることなく、水分との接触によって色が現れたり、消失したり、変色したりするものであって、水分の有無を確認できるものであれば良い。また、ホットメルト組成物に限ったものではなく、おむつに直接インキで画いたり、他のシートを介在させたりしても良い。
＜第２の実施形態＞
【００２８】
図４はこの発明の第２の実施形態を示したものである。この第２の実施形態においては、水分視認要素の形成位置と、阻止シートの取り付け位置が第１実施形態と異なるものであり、その他の構成要素については第１実施形態と同様である。第１実施形態と同様の構成要素については、同じ符号を用い、その説明を省略する。
【００２９】
水分視認要素２１として、第１実施形態と同様の粘着成分にｐＨ指示薬を混合したホットメルト組成物を用いている。図４に示したように、水分視認要素２１は、横方向Ｘに延びる複数条のホットメルト組成物で形成され、このホットメルト組成物は外面シート９の身体側に塗布されている。水分視認要素２１は、クロッチ域７に形成されるとともに、横中心線Ｑ−Ｑよりも前ウエスト域５側に位置させている。
【００３０】
水分視認要素２１と吸液構造体１０の間には、阻止シート２２を取り付けている。阻止シート２２は横方向Ｘに離間して、縦方向Ｙに延びる一対のシート片２３を含む。これらシート片２３は縦中心線Ｐ−Ｐに関して対称に取り付けられ、縦方向Ｙに並ぶホットメルト組成物の一端から他端にまたがって延びている。これらシート片２３の横方向Ｘの長さ寸法は約１０ｍｍとしている。
【００３１】
この第２の実施形態によれば、クロッチ域７であって前ウエスト域５側、すなわち排尿される位置に水分視認要素２１を形成することとしているので、排尿があったときには確実にこれを認識することができる。シート片２３を横方向Ｘに離間させて、水分視認要素２１と重なるように配置しているので、排尿がされる位置である縦中心線Ｐ−Ｐ近傍には阻止シート２２が配置されない。したがって、排尿が少量であっても確実に水分視認要素２１が変色し、これを確認することができるとともに、その両側に阻止シート２２が位置するので、色の比較が可能となり、排尿があったか否かの判断を容易にすることができる。
【００３２】
＜第３の実施形態＞
図５は、この発明の第３の実施形態を示したものである。この第３の実施形態では、水分視認要素がイラストによって形成されている点に特徴を有する。第１の実施形態と同様の構成要素については、同じ符号を用い、その説明を省略する。図示したように、外面シート９には、水分視認要素２１が形成されているが、この水分視認要素２１は、粘着成分にｐＨ指示薬を混合したホットメルト組成物を含む。水分視認要素２１は、ホットメルト組成物によって画かれたイラストによって形成され、クロッチ域７の前ウエスト側５に位置している。イラストは、横方向Ｘに延びて画かれている。
【００３３】
水分視認要素２１と吸液構造体１０との間には、阻止シート２２が取り付けられている。阻止シート２２は水分視認要素２１の一部と重なるとともに、縦中心線Ｐ−Ｐ上に取り付けられるようにしている。阻止シート２２は、水分視認要素２１の離間した個々のイラストのいくつかと重なり、いくつかと重ならないようにして、変色したイラストと変色していないイラストを形成したり、イラストが現れた部分と現れていない部分とを形成したりして、水分の有無を判断可能にすることができる。このような場合には、個々のイラストのいくつかに重なるように、阻止シート２２の面積を広くすることができる。
【００３４】
水分視認要素２１に水分が接触すれば、イラストの色が変化したり、イラストの一部が消えたり、現れたりするので、水分の有無を判断することができるとともに、変化前と変化後のイラストを組み合わせることによってストーリー性を出すこともできる。
【図面の簡単な説明】
【００３５】
【図１】第１の実施形態のおむつの平面図。
【図２】図１のＩＩ−ＩＩ線端面図。
【図３】図１の内面シートと吸液構造体を外した平面図。
【図４】第２の実施形態の図３と同様の図。
【図５】第３の実施形態の図４と同様の図。
【符号の説明】
【００３６】
１    おむつ
５    前ウエスト域
６    後ウエスト域
７    クロッチ域
８    内面シート
９    外面シート
１０    吸液構造体
２１    水分視認要素
２２    阻止シート
２３    シート片
【図１】
0005112943.tif 000002
【図２】
0005112943.tif 000003
【図３】
0005112943.tif 000004
【図４】
0005112943.tif 000005
【図５】
0005112943.tif 000006